(57)【要約】【課題】従来の建具の引き戸の引き込み機構は、引き戸を外して引き込み装置の第一係止片とストライクとの係合が外れた場合、該係合を復帰させるには手間と危険が伴うものであった。【解決手段】本発明の建具用引き戸の引き込み機構は、ストライクに第一接片と第二接片が一体成形されており、第一係止片とストライクとの係合が外れた場合、引き戸を少し強い力で閉めるだけで第一係止片がストライクの仮係合部に仮係合する。その後、引き戸を開けてから閉めると、第一係止片はストライクの第一接片に係合する。【選択図】図１
2009074339.tif 000002
【特許請求の範囲】
【請求項１】
引き戸と建具にそれぞれストライクと引き込み装置のどちらかを設置して、引き戸の開時には引き込み装置のランナーに形成された第一係止片がストライクに係合して引っ張りバネに抗してランナーを待機位置に移動させ、引き戸の閉時にはストライクが第一係止片に係合してランナーが引っ張りバネで引き戻されることによりランナーを非待機位置にする建具用引き戸の引き込み機構において、弾性を有する樹脂製のストライクには第一接片と第二接片が一体成形されており、第一接片は外側が垂直となった本係合面となっているとともに、内側が上方に傾斜した第一傾斜面となっており、また第二接片は外側が途中まで垂直となった当接面で、その下方は内側に傾斜した第二傾斜面となっており、正常の引き戸の閉時にはストライクはランナーの第一係止片と第二係止片間の凹部に位置し、ストライクがランナーの凹部から外れたときには引き戸を閉めることにより、ランナーの第一係止片とストライクの第二接片が仮係合できることを特徴とする建具用引き戸の引き込み機構。
【請求項２】
前記ストライクは、上下動可能になっていることを特徴とする請求項１に記載の建具用引き戸の引き込み機構。
【発明の詳細な説明】
【技術分野】
【０００１】  本発明は、部屋間の出入口やクローゼットの入口などに取り付ける建具において、引き戸を勢いよく閉めたときに、引き戸の勢いを緩衝するとともに、引き戸を完全に閉めることができる建具用引き戸の引き込み機構に関する。【０００２】  一般に引き戸は、走行性を良好にするため、引き戸の下部に戸車が取り付けられている。従って、引き戸は軽い力で簡単に開閉するものであるが、かえって力強く引き戸を閉めると、走行性がよすぎるために、一旦閉まった引き戸が建具の柱に勢いよく当たり、その反動で少し開いてしまうことがあった。また引き戸を勢いよく閉めることを繰り返し行っていると、柱や引き戸の側面が傷付き、またガラスを嵌め込んだ引き戸ではガラスが割れることもあった。さらに引き戸を勢いよく閉めると、引き戸が柱に当たって、大きな音を発し、静寂な夜間では隣室や隣家に響いて騒音の原因ともなる。【０００３】  また人が急いで部屋を出入りした後、引き戸を閉めたつもりでも引き戸が完全に閉まってなく、少し開いた状態で去ってしまうことがある。このように部屋の引き戸が少し開いていると、各部屋毎に冷暖房を行っている場合、冷暖房の効果がなく、無駄なエネルギーの消費となってしまうばかりでなく、隣室の中が見えることからプライバシーを護ることもできなくなる。【０００４】  このような問題に鑑み、従来より引き戸を勢いよく閉めても、その勢いを緩衝するとともに、引き戸を閉めたときに完全に閉まってなくても、それを完全に閉める引き戸の引き込み機構が提案されていた（特許文献１、２）。【０００５】  建具用引き戸の引き込み機構（以下、引き込み機構ということもある）とは、引き込み装置とストライクからなり、引き込み装置を引き戸に取り付けたときにはストライクを建具の鴨居に取り付けるようになっている。【０００６】  引き込み装置には、引き込み装置に形成された細長い開口を一端（非待機位置）から他端（待機位置）に移動するランナーが設置されている。また該ランナーには、ストライクを挟む二つの突出片である第一係止片と第二係止片が形成されている。ランナーが非待機位置にあるときは、引き戸が閉じており、ランナーが待機位置にあるときは、引き戸が開いている。ランナーが非待機位置にあるときはランナーは水平となっているため、第一係止片と第二係止片は引き込み装置の細長い開口から突出しており、ランナーが待機位置にあるときはランナーは傾斜しているため、第一係止片は該開口内に没している。【０００７】  引き込み機構を備えた建具では、ストライクとランナーが正常な係合状態にあった引き戸を建具から外すと、引き込み装置のランナーが引っ張りバネにより非待機位置に戻ってしまうものである。
【特許文献１】特開平１１−２６４２７０号公報
【特許文献２】特開２００５−２３６１５号公報
【発明が解決しようとする課題】
【０００８】  ところで従来の引き込み機構では、ランナーが非待機位置に戻ってしまった場合、指をランナーの第二係止片に掛け、引っ張りバネに抗してランナーを待機位置まで移動させる作業を行わなければならなかった。しかしながら、引き込み装置は引き戸の上部に取り付けられており、この作業は踏み台や脚立等を用いなければならないため多大な手間がかかり、またこの作業を爪の長い女性が行う場合、無理な姿勢で第二係止片に指を掛けて行うと、第二係止片から指が滑って爪を剥がすという危険なものでもあった。本発明は、引き込み装置のランナーが非待機位置に戻っても、引き戸を少し強く閉めるだけでランナーとストライクの係合が正常位置に容易に復帰するという建具用引き戸の引き込み機構を提供することにある。
【課題を解決するための手段】
【０００９】  本発明者は、ストライクの第二接片がランナーの第一係止片を乗り越えることができれば、外れたストライクをランナーの正常位置に戻せることに着目して本発明を完成させた。
【００１０】  本発明は、引き戸と建具にそれぞれストライクと引き込み装置のどちらかを設置し、引き戸の開時には引き込み装置のランナーに形成された第一係止片がストライクに係合して引っ張りバネに抗してランナーを待機位置に移動させ、引き戸の閉時にはストライクが第一係止片に係合してランナーが引っ張りバネで引き戻されることによりランナーを非待機位置にする建具用引き戸の引き込み機構において、弾性を有する樹脂製のストライクには第一接片と第二接片が一体成形されており、第一接片は外側が垂直となった本係合面となっているとともに、内側が上方に傾斜した第一傾斜面となっており、また第二接片は外側が途中まで垂直となった当接面で、その下方は内側に傾斜した第二傾斜面となっており、正常の引き戸の閉時にはストライクはランナーの第一係止片と第二係止片間の凹部に位置し、ストライクがランナーの凹部から外れたときには引き戸を閉めることにより、ランナーの第一係止片とストライクの第二接片が仮係合できることを特徴とする建具用引き戸の引き込み機構である。
【発明の効果】
【００１１】  本発明の引き込み機構は、ランナーが非待機位置に戻っても、引き戸を少し強い力で閉めるだけでストライクの第二接片がランナーの第一係止片を乗り越え、第二接片の仮係合面が第一係止片の第一係止部に仮係合し、その後、引き戸を開けてランナーを待機位置にしてから引き戸を開けると正常位置に復帰するものである。従って、本発明の引き戸の引き込み機構は、ランナーが非待機位置に戻っても、これらの係合復帰に手間や危険を伴わないという従来の引き込み機構にはない優れた効果を奏するものである。
【発明を実施するための最良の形態】
【００１２】  以下、図面に基づいて本発明の引き戸の引き込み機構を説明する。図１は本発明引き込み機構を設置した建具の側面部分拡大断面図、図２は本発明引き込み機構に使用する引き込み装置の正面断面図、図３本発明引き込み機構におけるストライクとランナーの正常な係合状態の拡大図、図４はストライクの拡大斜視図、図５は非待機位置におけるストライクとランナーの正常な係合状態、図６は非待機位置にあるランナーにストライクを嵌め込む状態、図７はランナーに仮係合したストライクの状態、図８は待機位置でストライクがランナーに正常な係合をする状態である。【００１３】  図１に示すように建具は、鴨居１１、図示しない敷居、及び引き戸１２で構成されている。鴨居１１の下面には溝１３が刻設されており、この溝の真下の図示しない敷居にはレールが敷設されている。そして引き戸１２は、上部が鴨居１１の溝１３に挿入され、図示しない引き戸の下部の戸車が敷居のレール上に置かれて、建具に設置されている。【００１４】  引き戸１２の上部には、取り付け溝１４が引き戸の長手方向に刻設されている。取り付け溝１４の深さは、後述引き込み装置２０を埋め込み、その上にストライク４０を設置しても充分な深さである。【００１５】  ここで本発明に使用する引き込み装置とストライクについて説明する。引き込み装置とは、引き戸を勢いよく閉めたときに、引き戸の勢いを緩衝させて引き戸が建具の柱に強く当たるのを防ぐとともに、引き戸を完全に閉めず、途中で止めても、引き戸を完全に閉めることができるというものである。【００１６】  図２に示すように、本発明に使用する引き込み装置２０は、ケース２１、ランナー２２、引っ張りバネ２３、ダンパー２４から構成されている。ケース２１には両側にガイド溝２５が長手方向水平に形成されており、一端が斜め下方に屈曲した屈曲部２６となっている。ランナー２２は第一ガイドピン２７と第二ガイドピン２８が横方に突出しており、これらのガイドピンがガイド溝２５内を移動するようになっている。そしてランナー２２には第一係止片２９、第二係止片３０が上方に突出して形成されている。【００１７】  引っ張りバネ２３は、一端がランナー２２に係止され、他端がケース２１の端部に係止されており、常時、ランナー２２を引っ張っている状態となっている。ダンパー２４は、シリンダー３１内にピストン３２が移動自在に配置されている。該ピストンにはロッド３３が固定されており、さらにロッド３３の先端は前述ランナー２２に係合されている。ダンパー２４は、シリンダー３１内でピストン３２が移動するときに、空気を徐々に流出させることにより、勢いよく移動するランナーの移動を緩衝させるものである。符号３４は、ケース２１の上部に形成された細長い開口であり、該開口から第一係止片２９と第二係止片３０が突出して開口３４の端から端まで移動するようになっている。【００１８】  図３示すように、ランナー２２の第一係止片２９は、内側が直立した第一係合部３５となっており、外側（図３中左方）が傾斜した傾斜部３６となっている。また第二係止片３０は、内側と外側が直立しており、内側が第二係合部３７となっている。第二係止片３０の高さは第一係止片２９よりも高くな���ている。そして第一係止片２９と第二係止片３０間は凹部３８となっている。【００１９】  ストライク４０は、弾性を有する樹脂製であり、断面コ字型の金属製の基台４１に上下動可能に取り付けられている。基台４１には二本の位置調整ネジ４２、４２が回動自在に配置されており、該位置調整ネジは上下動板４３に螺合されている。そしてストライク４０は上下動板４３に二本のビス４４、４４で固定されている。【００２０】  ストライク４０は、第一接片４５と第二接片４６が一体成形されている。第一接片４５は、外側（図３、４中左側）が垂直となった本係合面４７となっており、内側下部は上方に傾斜した第一傾斜面４８となっている。第一傾斜面４８の上部は平らとなった停止面４９である。【００２１】  第二接片４６は、外側（図３、４中右側）が途中まで垂直となった当接面５０となっており、その下方は内側に傾斜した第二傾斜面５１となっている。該第二傾斜面は、途中から上方に屈曲した仮係合面５２となっており、その上端が第一接片４５方向に直角に延びて第一接片４５の停止面４９の少し上部に位置した停止片５３となっている。停止片５３が下がろうとしても、停止面４９で下がるのを停止される。【００２２】  図３に示すように、ストライク４０の本係合面４７と当接面５０間の長さは、ランナー２２の凹部３８の巾よりも少し短くなっている。従って、ストライク４０は、ランナー２２の凹部３８の中に容易に位置することができる。【００２３】  上記構造からなる引き込み装置でのランナーの移動について説明する。ランナー２２は引っ張りバネ２４に引っ張られており、ガイド溝２５の水平部奥方（図２中右方）に位置している。この状態は、引き戸が閉まっている状態である。そして引き戸１４を開け、引っ張りバネのバネ力に抗してランナー２２を移動させると、ランナー２２の第一ガイドピン２７と第二ガイドピン２８はガイド溝２５内を移動する。すると図２の二点鎖線で示すように、第一ガイドピン２７はガイド溝２５の屈曲部２６の端部に位置し、第二ガイドピン２８は水平部に位置する。この状態では引っ張りバネ２３が長く伸ばされているため、ランナー２２に対して引き戻す大きな力が働いている。ランナー２２はバネ力に抗して外力により移動させられるが、ランナー２２にかかっている外力を外しても、第一ガイドピン２７がガイド溝２５の屈曲部２６に引っ掛かっていることから、ランナー２２はロックされた状態となっていて、この位置に留まる。このとき図２の二点鎖線で示すように、ランナー２２は傾斜しているため、第一係止片２９は開口３４内に没しており、第二係止片３０は開口３４から突出している。このランナーの位置（図２中左方）が引き戸を開けた状態の待機位置である。【００２４】  ランナー２２がガイド溝２５の水平部の最奥の非待機位置（図２中の実線）にある引き込み装置において、ランナー２２を待機位置に移動させるには、ストライクで行う。図１に示すように引き込み装置２０を引き戸１４の上部の取り付け溝１４内に埋め込んで取り付けた場合、ストライク４０は鴨居１１の溝１３内に取り付ける。ストライク４０の鴨居１１の溝１３への取付位置は、引き戸を閉めてランナー２２を非待機位置にしたときに、ス���ライク４０が凹部３８内に入っている位置である。【００２５】  引き込み装置２０は、引き戸を開けたときには、第一係止片２９がストライク４０の本係合面４７に係合して移動させられ、ランナー２２は最先端、即ち引っ張りバネが最長に伸びた待機位置となる。しかしながら引き戸を外すと、ランナーが引っ張りバネに引っ張られて引き戸を閉めた状態、即ち非待機位置に戻ってしまう。このような状態で引き戸を開けてから引き戸を閉めても、引き込み装置のランナーが非待機位置にあるため、ストライクは第一係止片と係合しなくなり、引き込み装置が引き戸を引っ張ったり、引き戸の勢いを緩衝したりするという機能を全く果たさなくなってしまう。【００２６】  次に本発明の引き込み機構におけるランナーとストライクの係合状態を図５〜８で説明する。【００２７】  図５は、引き戸が完全に閉まった状態である。この状態は、ランナー２２が開口３４の非待機位置（図５中右）に位置しており、第一係止片２９はストライク４０の本係合面４７と係合した正常の係合状態である。【００２８】  図６は、建具から外した引き戸を建具に嵌め込んだときに、ランナーは開口３４の非待機位置（図６中右）にある。そこで引き戸を閉める方向に移動させると、引き込み装置２０が矢印Ａ方向に移動するため、ランナー２２の第一係止片２９の傾斜部３６にストライク４０の第二傾斜面５１が当たる。するとストライク４０は弾性のある樹脂製であるため、第二傾斜面５１は上方に持ち上げられ、第一係止片２９を乗り越える。【００２９】  その後、図７に示すように、第二傾斜面５１は弾性で元の位置に戻り、仮係合面５２が第一係合部３５と仮係合する。【００３０】  そして引き戸を開けると、図８に示すように引き込み装置２０は矢印Ｂ方向に移動するため、第一係止片２９に仮係合していたランナーは開口３４の待機位置（図８中左）に移動する。待機位置に移動したランナー２０は第一係止片２９が開口３４内に没入し、第二係止片３０だけが開口から突出している。その後、引き戸を閉めると、ストライク４０の当接面５０がランナー２２の第二係合部３７に当接してランナー２２を非待機位置方向に移動させる。ランナーが移動するときに第一係止片２９が開口３４から出てきて、ストライク４０を凹部３８に挟み込み、本係合面４７に第一係合部３５が当接して引き込み装置、即ち引き戸を非待機位置方向、即ち引き戸を閉める方向に引き戻す。
【産業上の利用可能性】
【００３１】  本発明は、部屋の間仕切りの建具やクローゼットの入口ばかりでなく、玄関や窓等、引き戸が取り付けられた建具であれば如何なる建具にも採用でき、さらに引き戸を二枚設置した引き違い戸ばかりでなく、引き戸が一枚のものでも使用できることは言うまでもない。なお実施例では、引き込み装置を引き戸に取り付け、ストライクを建具の鴨居に取り付けたもので示したが、引き込み装置を鴨居に、そしてストライクを引き戸に取り付けることもできる。
【図面の簡単な説明】
【００３２】
【図１】本発明引き込み機構を設置した建具の側面部分拡大断面図
【図２】本発明引き込み機構に使用する引き込み装置の正面断面図
【図３】本発明引き込み機構でのストライクとランナーの正常な係合状態の拡大図
【図４】ストライクの拡大斜視図
【図５】非待機位置におけるストライクとランナーの正常な係合状態
【図６】非待機位置に戻ったランナーにストライクを仮係合する途中の状態
【図７】非待機位置に戻ったランナーにストライクを仮係合した状態
【図８】仮係合したランナーが待機位置に移動した状態
【符号の説明】
【００３３】１１  鴨居
１２  引き戸
１３  鴨居の溝
１４  取り付け溝
２０  引き込み装置
２２  ランナー
２９  第一係止片
３０  第二係止片
３８  凹部
４０  ストライク
４５  第一接片
４６  第二接片
４７  本係合部
５０  当接面
【図１】
2009074339.tif 000003
【図２】
2009074339.tif 000004
【図３】
2009074339.tif 000005
【図４】
2009074339.tif 000006
【図５】
2009074339.tif 000007
【図６】
2009074339.tif 000008
【図７】
2009074339.tif 000009
【図８】
2009074339.tif 000010